(57)【特許請求の範囲】
【請求項１】
先端に導管部が形成されているシリンダ部材に末端の開口からピストン部材がスライド自在に挿入されている薬液シリンジの前記シリンダ部材と前記ピストン部材とを相対移動させることで薬液を薬液タンクから前記薬液シリンジに吸入させてから被験者に注入する薬液注入装置であって、
（ａ）前記薬液シリンジが着脱自在に装着される注入実行ヘッドと、
（ｂ）この注入実行ヘッドに装着された前記薬液シリンジの前記シリンダ部材と前記ピストン部材とを相対移動させるシリンジ駆動機構と、
（ｃ）前記薬液シリンジから前記被験者に前記薬液を注入させる薬液注入のために前記シリンジ駆動機構の動作制御により前記ピストン部材を前記シリンダ部材に圧入させる薬液注入手段と、
（ｄ）この薬液注入手段を作動不能に初期設定する初期設定手段と、
（ｅ）少なくとも前記薬液を前記薬液タンクから前記薬液シリンジに吸入させる薬液吸入を前記シリンジ駆動機構に実行させるための入力操作を受け付ける手動操作手段と、
（ｆ）この手動操作手段への入力操作に対応して前記シリンジ駆動機構を作動させる操作駆動手段と、
（ｇ）前記シリンジ駆動機構の移動距離と移動位置との少なくとも一方により前記薬液吸入の完了を検出する完了検出手段と、
前記薬液吸入の完了が検出されると前記薬液注入手段を作動できる状態とする注入制御手段と、
を有している薬液注入装置。
【請求項２】
先端に導管部が形成されているシリンダ部材に末端の開口からピストン部材がスライド自在に挿入されている薬液シリンジの前記シリンダ部材と前記ピストン部材とを相対移動させることで薬液を薬液タンクから前記薬液シリンジに吸入させてから被験者に注入する薬液注入装置であって、
（ａ）前記薬液シリンジが着脱自在に装着される注入実行ヘッドと、
（ｂ）この注入実行ヘッドに装着された前記薬液シリンジの前記シリンダ部材と前記ピストン部材とを相対移動させるシリンジ駆動機構と、
（ｃ）前記薬液シリンジから前記被験者に前記薬液を注入させる薬液注入のために前記シリンジ駆動機構の動作制御により前記ピストン部材を前記シリンダ部材に圧入させる薬液注入手段と、
（ｄ）この薬液注入手段を作動不能に初期設定する初期設定手段と、
（ｅ１）少なくとも前記薬液を前記薬液タンクから前記薬液シリンジに吸入させる薬液吸入と前記薬液シリンジの薬液から気泡を排除させる気泡排除とを前記シリンジ駆動機構に実行させるための入力操作を受け付ける手動操作手段と、
（ｆ）この手動操作手段への入力操作に対応して前記シリンジ駆動機構を作動させる操作駆動手段と、
（ｇ１）前記シリンジ駆動機構の移動距離と移動位置との少なくとも一方により前記薬液吸入と前記気泡排除との完了を個々に検出する完了検出手段と、
（ｈ１）前記薬液吸入と前記気泡排除との完了が順番に検出されると前記薬液注入手段を作動できる状態とする注入制御手段と、
を有している薬液注入装置。
【請求項３】
先端に導管部が形成されているシリンダ部材に末端の開口からピストン部材がスライド自在に挿入されている薬液シリンジの前記シリンダ部材と前記ピストン部材とを相対移動させることで少なくとも薬液を被験者に注入する薬液注入装置であって、
（ａ１）最初から前記薬液が充填されているプレフィルドタイプの前記薬液シリンジと外部の薬液タンクから前記薬液を吸入するリフィルタイプの前記薬液シリンジとが選択自在かつ着脱自在に装着される注入実行ヘッドと、
（ｂ１）この注入実行ヘッドに装着された前記薬液シリンジの前記シリンダ部材と前記ピストン部材とを相対移動させるシリンジ駆動機構と、
（ｃ）前記薬液シリンジから前記被験者に前記薬液を注入させる薬液注入のために前記シリンジ駆動機構の動作制御により前記ピストン部材を前記シリンダ部材に圧入させる薬液注入手段と、
（ｄ）この薬液注入手段を作動不能に初期設定する初期設定手段と、
（ｅ１）少なくとも前記薬液を前記薬液タンクから前記薬液シリンジに吸入させる薬液吸入と前記薬液シリンジの薬液から気泡を排除させる気泡排除とを前記シリンジ駆動機構に実行させるための入力操作を受け付ける手動操作手段と、
（ｆ）この手動操作手段への入力操作に対応して前記シリンジ駆動機構を作動させる操作駆動手段と、
（ｇ１）前記シリンジ駆動機構の移動距離と移動位置との少なくとも一方により前記薬液吸入と前記気泡排除との完了を個々に検出する完了検出手段と、
（ｉ）前記注入実行ヘッドに装着された前記薬液シリンジが前記プレフィルドタイプか前記リフィルタイプかを判別するシリンジ判別手段と、
（ｈ２）前記プレフィルドタイプが判別されているときは前記気泡排除の完了が検出されると前記薬液注入手段を作動できる状態として前記リフィルタイプが判別されているときは前記薬液吸入と前記気泡排除との完了が順番に検出されると前記薬液注入手段を作動できる状態とする注入制御手段と、
を有している薬液注入装置。
【請求項４】
前記操作駆動手段は、前記プレフィルドタイプが判別されているときは前記入力操作に対応して前記シリンジ駆動機構に前記気泡排除のみを実行させるとともに前記リフィルタイプが判別されているときは前記入力操作に対応して前記シリンジ駆動機構に前記薬液吸入と前記気泡排除とを順番に実行させる請求項３に記載の薬液注入装置。
【請求項５】
前記薬液吸入が実行される前記薬液シリンジは、初期状態では前記ピストン部材が前記シリンダ部材の末端近傍に配置されており、
前記手動操作手段は、前記薬液吸入が実行される前記薬液シリンジの前記ピストン部材を前記シリンダ部材の末端近傍から先端近傍まで移動させる吸入準備の入力操作も受け付け、
前記完了検出手段は、前記シリンジ駆動機構の移動距離と移動位置との少なくとも一方により前記吸入準備の完了も検出し、
前記注入制御手段は、前記吸入準備と前記薬液吸入との完了が順番に検出されないと前記薬液注入手段を作動できる状態としない請求項１〜４の何れか一項に記載の薬液注入装置。
【請求項６】
前記薬液シリンジの先端が末端より下方に位置する注入姿勢と上方に位置する準備姿勢とに可動自在に前記注入実行ヘッドを支持しているヘッド支持機構と、
前記注入実行ヘッドが前記注入姿勢か前記準備姿勢かを判別する姿勢判別手段と、
も有しており、
前記完了検出手段は、前記準備姿勢が判別されているときのみ前記気泡排除の完了を検出する請求項２〜４の何れか一項に記載の薬液注入装置。
【請求項７】
前記薬液シリンジの先端が末端より下方に位置する注入姿勢と上方に位置する準備姿勢とに可動自在に前記注入実行ヘッドを支持しているヘッド支持機構と、
前記注入実行ヘッドが前記注入姿勢か前記準備姿勢かを判別する姿勢判別手段と、
も有しており、
前記注入制御手段は、前記注入姿勢が判別されているときのみ前記薬液注入手段を作動できる状態とする請求項１〜６の何れか一項に記載の薬液注入装置。
【請求項８】
前記注入実行ヘッドへの前記薬液シリンジの装着を検出する着脱検出手段も有しており、
前記初期設定手段は、前記薬液シリンジの装着が検出されると前記初期設定を実行する請求項１〜７の何れか一項に記載の薬液注入装置。
【請求項９】
前記薬液シリンジの装着を検出する着脱検出手段と、
前記薬液シリンジの装着が検出されていないと前記シリンジ駆動機構を作動不能とする駆動規制手段と、も有しており、
前記初期設定手段は、前記薬液シリンジの装着が検出されると前記初期設定を実行する請求項１〜７の何れか一項に記載の薬液注入装置。
【請求項１０】
前記手動操作手段が前記注入実行ヘッドに実装されている請求項１〜９の何れか一項に記載の薬液注入装置。
【発明の詳細な説明】
【技術分野】
【０００１】
本発明は、薬液シリンジのシリンダ部材とピストン部材とを相対移動させて薬液を被験者に注入する薬液注入装置に関し、特に、薬液シリンジが装着される注入実行ヘッドが上下方向に回動する薬液注入装置に関する。
【背景技術】
【０００２】
現在、被験者の透視画像を撮像する透視撮像装置としては、ＣＴ(Computed
Tomography)スキャナ、ＭＲＩ(Magnetic Resonance Imaging)装置、ＰＥＴ(PositronEmission
Tomography)装置、超音波診断装置、ＣＴアンギオ装置、ＭＲＡ(MR Angio)装置、等がある。【０００３】
上述のような透視撮像装置を使用するとき、被験者に造影剤や生理食塩水などの薬液を注入することがあり、この注入を自動的に実行する薬液注入装置も実用化されている。このような薬液注入装置は、例えば、駆動モータやスライダ機構からなるシリンジ駆動機構を有しており、このシリンジ駆動機構が内蔵されている注入実行ヘッドに薬液シリンジが着脱自在に装着される。【０００４】
その薬液シリンジはシリンダ部材にピストン部材がスライド自在に挿入された構造からなり、プレフィルドタイプとリフィルタイプがある。プレフィルドタイプの薬液シリンジは、シリンダ部材に薬液が充填されて全体が梱包材で密封された状態で出荷され、リフィルタイプの薬液シリンジは、利用者により所望の薬液がシリンダ部材に充填される。【０００５】
プレフィルドタイプの薬液シリンジから被験者に薬液を注入する場合は、例えば、注入チューブを連結した薬液シリンジが、先端が末端より下方に位置した注入姿勢の注入実行ヘッドに装着される。この注入姿勢では、注入チューブが連結されている薬液シリンジの先端も下方に位置するため、注入チューブが連結されるときに薬液に混入した気泡は薬液シリンジの末端に位置することになる。【０００６】
そこで、注入実行ヘッドが薬液シリンジとともに手動で回動され、薬液シリンジと注入実行ヘッドとの先端が上方に位置する準備姿勢とされる。この準備姿勢では、薬液に混入した気泡は薬液シリンジの先端に位置するので、この状態でシリンジ駆動機構が作動されてピストン部材がシリンダ部材に所定位置まで圧入されると、気泡は微量の薬液とともに薬液シリンジと注入チューブとの内部から排出される。【０００７】
そこで、この状態で注入チューブが被験者の血管に連結され、薬液シリンジとともに注入実行ヘッドが手動で回動されて注入姿勢とされる。この状態でシリンジ駆動機構が作動されてピストン部材がシリンダ部材に圧入されると、薬液シリンジの薬液が注入チューブから被験者に注入されることになる。このとき、もしも微小な気泡が薬液シリンジの薬液に混入していても、その気泡は薬液シリンジの末端に位置するため、先端から被験者に注入される薬液に混入することはない。【０００８】
なお、リフィルタイプの薬液シリンジから被験者に薬液を注入する場合は、例えば、薬液が充填されている大型の薬液タンクが専用の吸入チューブで薬液シリンジに連結され、その薬液シリンジが注入姿勢の注入実行ヘッドに装着される。この状態で注入実行ヘッドが手動で回動されて準備姿勢とされ、シリンジ駆動機構が作動されてピストン部材がシリンダ部材から所定位置まで引き出される。【０００９】
すると、薬液タンクの薬液が吸入チューブから薬液シリンジに吸入されるので、この吸入が完了してから薬液シリンジから吸入チューブとともに薬液タンクが取り外される。そして、この状態で薬液シリンジに注入チューブが連結され、シリンジ駆動機構が所定位置まで作動されることで薬液シリンジの薬液に混入した気泡が排出されるので、これ以降はプレフィルドタイプの場合と同様に注入作業が実行される。【００１０】
なお、上述のようなリフィルタイプの薬液シリンジは、シリンダ部材の後端近傍にピストン部材が位置する状態で出荷されるため、そのシリンダ部材に対するピストン部材の位置関係は、新品のプレフィルドタイプの薬液シリンジと同一である。しかも、一般的に生理食塩水や造影剤などの薬液は無色透明であるため、新品のリフィルタイプとプレフィルドタイプとの薬液シリンジは一目では識別されないことがある。【００１１】
このため、新品のリフィルタイプの薬液シリンジが薬液注入装置に装着された状態で、その薬液シリンジをプレフィルドタイプと誤認して被験者に空気を注入する可能性がある。そこで、この可能性を排除するため、装着された薬液シリンジがプレフィルドタイプかリフィルタイプかを判別し、リフィルタイプの場合にはピストン部材を自動的に圧入して薬液吸入を開始できる状態とする提案がある(例えば、特許文献１参照)。【００１２】
また、上述のように注入実行ヘッドが上下方向に回動する薬液注入装置には、薬液シリンジの先端が上方に位置するときはピストン部材を前後移動させ、下方に位置するときは前進のみさせることにより、薬液シリンジから薬液タンクに空気を排出してから薬液を吸入させ、その薬液シリンジから被験者に薬液を注入する提案もある(例えば、特許文献２参照)。
【特許文献１】特開２００３−７０９１１号公報
【特許文献２】特表２００４−５０１７３７号公報
【発明の開示】
【発明が解決しようとする課題】
【００１３】
しかし、上述した特許文献１の薬液注入装置では、新品のリフィルタイプの薬液シリンジで薬液注入の動作が実行されることは防止できるが、薬液吸入が完了したリフィルタイプの薬液シリンジや新品のプレフィルドタイプの薬液シリンジでの気泡排除などは考慮されていないので、気泡排除が完了していない薬液シリンジから被験者に薬液が注入されることを防止できない。【００１４】
また、上述した特許文献２の薬液注入装置では、注入実行ヘッドの作動を姿勢に対応して制御しているだけなので、実際には不適な動作を確実に防止することは困難である。例えば、一般的に注入実行ヘッドが注入姿勢のときは、薬液シリンジから被験者への薬液注入だけでなく、薬液シリンジの着脱も実行される。【００１５】
このため、単純に注入姿勢では注入実行ヘッドを作動できる状態とすると、気泡排除が完了していない薬液シリンジから被験者に薬液が注入される可能性がある。特に、薬液シリンジがリフィルタイプの場合、薬液を吸入していない薬液シリンジから被験者に空気が注入される可能性もある。【００１６】
そこで、上述のような課題を解決するため、本出願人が提案した薬液注入装置では、薬液シリンジの装着を検出した状態では、気泡排除や薬液吸入の動作のみ可能としている。そして、作業者が気泡排除などを目視で確認して専用の解除スイッチを手動操作すると薬液注入の動作も可能となるので、気泡排除や薬液吸入が完了していない薬液シリンジから被験者に薬液や空気が注入されることがない。しかし、これでは薬液注入装置に専用の解除スイッチなどを増設する必要があり、目視やスイッチ操作などの作業負担も増大することになる。【００１７】
本発明は上述のような課題に鑑みてなされたものであり、解除スイッチの増設や作業負担の増大などを必要とすることなく、気泡排除や薬液吸入が完了していない薬液シリンジで薬液注入が実行されることを防止できる薬液注入装置を提供することを目的とする。
【課題を解決するための手段】
【００１８】
本発明の第１の薬液注入装置は、先端に導管部が形成されているシリンダ部材に末端の開口からピストン部材がスライド自在に挿入されている薬液シリンジのシリンダ部材とピストン部材とを相対移動させることで薬液を薬液シリンジから被験者に注入する薬液注入装置であって、注入実行ヘッド、シリンジ駆動機構、薬液注入手段、初期設定手段、手動操作手段、操作駆動手段、完了検出手段、注入制御手段、を有している。【００１９】
注入実行ヘッドは、薬液シリンジが着脱自在に装着され、シリンジ駆動機構は、注入実行ヘッドに装着された薬液シリンジのシリンダ部材とピストン部材とを相対移動させる。薬液注入手段は、薬液シリンジから被験者に薬液を注入させる薬液注入のためにシリンジ駆動機構の動作制御によりピストン部材をシリンダ部材に圧入させ、初期設定手段は、薬液注入手段を作動不能に初期設定する。手動操作手段は、少なくとも薬液シリンジの薬液から気泡を排除させる気泡排除をシリンジ駆動機構にリアルタイムに実行させるための入力操作を受け付け、操作駆動手段は、この手動操作手段への入力操作にリアルタイムに対応してシリンジ駆動機構を作動させる。完了検出手段は、シリンジ駆動機構の移動距離と移動位置との少なくとも一方により気泡排除の完了を検出し、注入制御手段は、気泡排除の完了が検出されると薬液注入手段を作動できる状態とする。【００２０】
従って、本発明の第１の薬液注入装置は、初期状態では薬液注入が実行できず、初期状態から手動操作により薬液シリンジに気泡排除が実行されると、その気泡排除の完了が検出されて薬液注入のみ実行できる状態となる。【００２１】
本発明の第２および第３の薬液注入装置は、薬液シリンジのシリンダ部材とピストン部材とを相対移動させることで薬液を薬液タンクから薬液シリンジに吸入させてから被験者に注入する薬液注入装置であって、第２の薬液注入装置では、注入実行ヘッドは、外部の薬液タンクから薬液を吸入するリフィルタイプの薬液シリンジが着脱自在に装着され、手動操作手段は、少なくとも薬液を薬液タンクから薬液シリンジに吸入させる薬液吸入をシリンジ駆動機構にリアルタイムに実行させるための入力操作を受け付ける。完了検出手段は、シリンジ駆動機構の移動距離と移動位置との少なくとも一方により薬液吸入の完了を検出し、注入制御手段は、薬液吸入の完了が検出されると薬液注入手段を作動できる状態とする。【００２２】
従って、本発明の第２の薬液注入装置は、初期状態では薬液注入が実行できず、初期状態から手動操作により薬液シリンジに薬液吸入が実行されると、その薬液吸入の完了が検出されて薬液注入のみ実行できる状態となる。【００２３】
本発明の第３の薬液注入装置では、手動操作手段は、少なくとも薬液を薬液タンクから薬液シリンジに吸入させる薬液吸入と薬液シリンジの薬液から気泡を排除させる気泡排除とをシリンジ駆動機構にリアルタイムに実行させるための入力操作を受け付け、完了検出手段は、シリンジ駆動機構の移動距離と移動位置との少なくとも一方により薬液吸入と気泡排除との完了を個々に検出し、注入制御手段は、薬液吸入と気泡排除との完了が順番に検出されると薬液注入手段を作動できる状態とする。【００２４】
従って、本発明の第３の薬液注入装置は、初期状態では薬液注入が実行できず、初期状態から手動操作により薬液シリンジに薬液吸入と気泡排除とが順番に実行されると、その薬液吸入と気泡排除との完了が個々に検出されて薬液注入のみ実行できる状態となる。【００２５】
本発明の第４の薬液注入装置は、先端に導管部が形成されているシリンダ部材に末端の開口からピストン部材がスライド自在に挿入されている薬液シリンジのシリンダ部材とピストン部材とを相対移動させることで少なくとも薬液を薬液シリンジから被験者に注入する薬液注入装置であって、シリンジ判別手段も有している。【００２６】
本発明の第４の薬液注入装置では、注入実行ヘッドは、最初から薬液が充填されているプレフィルドタイプの薬液シリンジと外部の薬液タンクから薬液を吸入するリフィルタイプの薬液シリンジとが選択自在かつ着脱自在に装着され、シリンジ判別手段は、注入実行ヘッドに装着された薬液シリンジがプレフィルドタイプかリフィルタイプかを判別し、注入制御手段は、プレフィルドタイプが判別されているときは気泡排除の完了が検出されると薬液注入手段を作動できる状態としてリフィルタイプが判別されているときは薬液吸入と気泡排除との完了が順番に検出されると薬液注入手段を作動できる状態とする。【００２７】
従って、本発明の第４の薬液注入装置は、初期状態では薬液注入が実行できず、プレフィルドタイプの薬液シリンジでは、初期状態から手動操作により気泡排除が実行されると、その気泡排除の完了が検出されて薬液注入のみ実行できる状態となり、リフィルタイプの薬液シリンジでは、初期状態から手動操作により薬液吸入と気泡排除とが順番に実行されると、その薬液吸入と気泡排除との完了が個々に検出されて薬液注入のみ実行できる状態となる。【００２８】
なお、本発明で云う各種手段は、その機能を実現するように形成されていれば良く、例えば、所定の機能を発揮する専用のハードウェア、所定の機能がコンピュータプログラムにより付与されたデータ処理装置、コンピュータプログラムによりデータ処理装置に実現された所定の機能、これらの組み合わせ、等として実現することができる。【００２９】
また、本発明で云う各種の構成要素は、個々に独立した存在である必要もなく、複数の構成要素が１個の部材として形成されていること、ある構成要素が他の構成要素の一部であること、ある構成要素の一部と他の構成要素の一部とが重複していること、等も可能である。
【発明の効果】
【００３０】
本発明の第１の薬液注入装置は、初期状態では薬液注入が実行できず、初期状態から手動操作により薬液シリンジに気泡排除が実行されると、その気泡排除の完了が検出されて薬液注入のみ実行できる状態となることにより、気泡排除が完了していない薬液シリンジで薬液注入が実行されることを、解除スイッチの増設や作業負担の増大などを必要とすることなく自動的に防止することができる。【００３１】
本発明の第２の薬液注入装置は、初期状態では薬液注入が実行できず、初期状態から手動操作により薬液シリンジに薬液吸入が実行されると、その薬液吸入の完了が検出されて薬液注入のみ実行できる状態となることにより、薬液吸入が完了していない薬液シリンジで薬液注入が実行されることを、解除スイッチの増設や作業負担の増大などを必要とすることなく自動的に防止することができる。【００３２】
本発明の第３の薬液注入装置は、初期状態では薬液注入が実行できず、初期状態から手動操作により薬液シリンジに薬液吸入と気泡排除とが順番に実行されると、その薬液吸入と気泡排除との完了が個々に検出されて薬液注入のみ実行できる状態となることにより、薬液吸入が適切に完了していない薬液シリンジで気泡排除が実行されることと、この気泡排除が完了していない薬液シリンジで薬液注入が実行されることを、解除スイッチの増設や作業負担の増大などを必要とすることなく自動的に防止することができる。【００３３】
本発明の第４の薬液注入装置は、初期状態では薬液注入が実行できず、プレフィルドタイプの薬液シリンジでは、初期状態から手動操作により気泡排除が実行されると、その気泡排除の完了が検出されて薬液注入のみ実行できる状態となり、リフィルタイプの薬液シリンジでは、初期状態から手動操作により薬液吸入と気泡排除とが順番に実行されると、その薬液吸入と気泡排除との完了が個々に検出されて薬液注入のみ実行できる状態となることにより、気泡排除が完了していないプレフィルドタイプの薬液シリンジで薬液注入が実行されることと、薬液吸入が適切に完了していないリフィルタイプの薬液シリンジで気泡排除が実行されることと、この気泡排除が完了していないリフィルタイプの薬液シリンジで薬液注入が実行されることを、解除スイッチの増設や作業負担の増大などを必要とすることなく自動的に防止することができる。
【図面の簡単な説明】
【００３４】
【図１】本発明の実施の形態の薬液注入装置の論理構造を示す模式的なブロック図である。
【図２】透視撮像システムの回路構造を示すブロック図である。
【図３】薬液注入装置の外観を示す斜視図である。
【図４】薬液注入装置の注入実行ヘッドに耐圧カバーで薬液シリンジを装着する状態を示す斜視図である。
【図５】透視撮像システムの外観を示す斜視図である。
【図６】(ａ)は注入実行ヘッドの注入姿勢を示す側面図、(ｂ)は準備姿勢を示す側面図である。
【図７】薬液注入装置の処理動作の前半部分を示すフローチャートである。
【図８】後半部分を示すフローチャートである。
【符号の説明】
【００３５】
１００    薬液注入装置
１１０    注入実行ヘッド
１１２    ヘッド支持機構である可動アーム
１１７    シリンジ駆動機構
１２０    着脱検出手段である着脱検出センサ
１２２    姿勢判別手段である傾斜検出センサ
１４１    薬液注入手段
１４２    初期設定手段
１４３    操作駆動手段
１４４    完了検出手段
１４５    注入制御手段
１４６    駆動規制手段
２００    薬液シリンジ
２１０    シリンダ部材
２１２    導管部
２２０    ピストン部材
１０００    透視撮像システム
【発明を実施するための最良の形態】
【００３６】
［実施の形態の構成］
本発明の実施の一形態を図面を参照して以下に説明する。本発明の実施の形態の透視撮像システム１０００は、図１ないし図３に示すように、薬液注入装置１００、薬液シリンジ２００、透視撮像装置であるＣＴアンギオ装置４００、シリンダアダプタである耐圧カバー３００、を有しており、詳細には後述するが、被験者(図示せず)に薬液として造影剤などを注入する。【００３７】
ＣＴアンギオ装置４００は、図５に示すように、撮像実行機構である透視撮像ユニット４０１と撮像制御ユニット４０２とを有しており、その透視撮像ユニット４０１と撮像制御ユニット４０２とは通信ネットワーク４０３で有線接続されている。透視撮像ユニット４０１は被験者から透視画像を撮像し、撮像制御ユニット４０２は透視撮像ユニット４０１を動作制御する。【００３８】
薬液シリンジ２００は、図４に示すように、シリンダ部材２１０とピストン部材２２０からなり、シリンダ部材２１０にピストン部材２２０がスライド自在に挿入されている。シリンダ部材２１０は、円筒形の中空の本体部２１１を有しており、この本体部２１１の閉塞した先端面に導管部２１２が形成されている。シリンダ部材２１０の本体部２１１の末端面は開口されており、この開口から本体部２１１の内部にピストン部材２２０が挿入されている。【００３９】
耐圧カバー３００は、やはり円筒形の中空の本体部３０１を有しており、この本体部３０１の閉塞した先端面に貫通孔３０２が形成されている。耐圧カバー３００の末端面は開口されており、この開口から本体部３０１の内部に薬液シリンジ２００のシリンダ部材２１０が配置される。耐圧カバー３００の末端面の外周には円環状のカバーフランジ３０３が一体に形成されており、例えば、このカバーフランジ３０３の下方の凸部に磁性体３１０が内蔵されている。【００４０】
本形態の薬液注入装置１００は、図３に示すように、注入制御ユニット１０１と注入実行ヘッド１１０とが別体に形成されており、その注入制御ユニット１０１と注入実行ヘッド１１０とは通信ケーブル１０２で有線接続されている。注入実行ヘッド１１０は、キャスタスタンド１１１の上端にヘッド支持機構である可動アーム１１２で装着されており、そのヘッド本体１１３の前面には、薬液シリンジ２００とともに耐圧カバー３００を着脱自在に保持するフランジ保持機構１１４が形成されている。【００４１】
可動アーム１１２は、注入実行ヘッド１１０を上下方向に回動自在に軸支しているので、注入実行ヘッド１１０は、図６(ａ)に示すように、装着された薬液シリンジ２００の先端が末端より下方に位置する注入姿勢と、図６(ｂ)に示すように、上方に位置する準備姿勢とに可動自在に支持されている。【００４２】
フランジ保持機構１１４は、図４に示すように、ヘッド本体１１３の前面下部に固定されている半円弧状の固定保持部材１１５と、この固定保持部材１１５の左右両端の位置で上下方向に回動自在に個々に軸支されている一対の可動保持部材１１６からなり、耐圧カバー３００のカバーフランジ３０３が固定保持部材１１５に上方から係合されるとともに、そのカバーフランジ３０３の上部に左右一対の可動保持部材１１６が上方から係合する。【００４３】
なお、フランジ保持機構１１４の内部下方には凹部(図示せず)が形成されており、この凹部にカバーフランジ３０３の磁性体３１０が係脱自在に挿入される。そして、フランジ保持機構１１４の凹部には、ホール素子などからなる着脱検出センサ１２０が着脱検出手段として内蔵されており、この着脱検出センサ１２０が磁性体３１０を検出する。つまり、薬液シリンジ２００が耐圧カバー３００とともに注入実行ヘッド１１０に装着されると、この薬液シリンジ２００の装着が着脱検出センサ１２０で検出される。【００４４】
注入実行ヘッド１１０は、フランジ保持機構１１４の内側中央に位置する前面にシリンジ駆動機構１１７が配置されており、このシリンジ駆動機構１１７が薬液シリンジ２００のピストン部材２２０を保持してシリンダ部材２１０に圧入する。シリンジ駆動機構１１７は、駆動モータ１１８を駆動源として有しており、ネジ機構(図示せず)などによりピストン部材２２０をスライド移動させる。【００４５】
また、シリンジ駆動機構１１７にはリニアエンコーダ１１９も内蔵されており、このリニアエンコーダ１１９は、シリンジ駆動機構１１７がスライド移動させるピストン部材２２０の位置を検出する。注入実行ヘッド１１０は、上面前部に手動操作手段であるサブタッチパネル１２１が配置されており、このサブタッチパネル１２１に各種のガイダンスメッセージなどが表示出力される。【００４６】
本形態の薬液注入装置１００では、注入実行ヘッド１１０に加速度センサなどからなる傾斜検出センサ１２２が姿勢判別手段として内蔵されており、この傾斜検出センサ１２２により注入実行ヘッド１１０の姿勢が判別される。つまり、注入実行ヘッド１１０は、上下方向に回動自在に軸支されているので、図６(ａ)(ｂ)に示すように、先端が末端より下方に位置する注入姿勢と上方に位置する準備姿勢とに変位自在に支持されている。そして、傾斜検出センサ１２２は、例えば、自身に対する重力の作用方向を検出することにより、注入実行ヘッド１１０が注入姿勢にあるか準備姿勢にあるかを検出する。【００４７】
上述のような注入実行ヘッド１１０は注入制御ユニット１０１に有線接続されており、この中に制御ユニット１０１は、注入実行ヘッド１１０を動作制御する。このため、図２に示すように、注入制御ユニット１０１はコンピュータユニット１３０が内蔵されており、ＣＴアンギオ装置４００の撮像制御ユニット４０２とも通信ネットワーク４０４で有線接続されている。注入制御ユニット１０１は、操作パネル１０３、メインタッチパネル１０４、スピーカユニット１０５、等が本体ハウジング１０６の前面などに配置されており、上述した各種デバイスがコンピュータユニット１３０に接続されている。【００４８】
このコンピュータユニット１３０は、いわゆるワンチップマイコンからなり、ＣＰＵ(Central
Processing Unit)１３１、ＲＯＭ(Read OnlyMemory)１３２、ＲＡＭ(Random Access Memory)１３３、Ｉ／Ｆ(Interface)１３４、等のハードウェアを有している。コンピュータユニット１３０は、そのＲＯＭ１３２などの情報記憶媒体に適切なコンピュータプログラムがファームウェアなどで実装されており、そのコンピュータプログラムに対応してＣＰＵ１３１が各種の処理動作を実行する。【００４９】
本形態の薬液注入装置１００は、上述のように実装されているコンピュータプログラムに対応してコンピュータユニット１３０が動作することにより、図１に示すように、薬液注入手段１４１、初期設定手段１４２、操作駆動手段１４３、完了検出手段１４４、注入制御手段１４５、駆動規制手段１４６、等の各種手段を論理的に有している。【００５０】
薬液注入手段１４１は、ＲＯＭ１３２のコンピュータプログラムとメインタッチパネル１０４への入力操作とに対応してＣＰＵ１３１がシリンジ駆動機構１１７を動作制御する機能などに相当し、薬液シリンジ２００から被験者に薬液を注入させるため、ピストン部材２２０をシリンダ部材２１０に圧入させる。【００５１】
より具体的には、薬液注入では、例えば、注入速度／時間／圧力／容量／パターンなどの注入条件が作業者により事前にメインタッチパネル１０４などにデータ入力されると、その注入条件がＲＡＭ１３３などにデータ保持される。そして、作業者により操作パネル１０３などに注入開始が入力操作されると、データ保持されている注入条件に対応してＣＰＵ１３１がシリンジ駆動機構１１７を動作制御することにより、一連の薬液注入が自動実行される。【００５２】
初期設定手段１４２は、ＣＰＵ１３１がコンピュータプログラムと着脱検出センサ１２０の検出データとに対応してシリンジ駆動機構１１７を動作制御する機能などに相当し、着脱検出センサ１２０により薬液シリンジ２００の装着が検出されると、薬液注入手段１４１を作動不能に初期設定する。【００５３】
操作駆動手段１４３は、ＣＰＵ１３１がコンピュータプログラムとサブタッチパネル１２１の入力データとに対応してシリンジ駆動機構１１７を動作制御する機能などに相当し、初期設定が完了してから手動操作手段であるサブタッチパネル１２１への入力操作にリアルタイムに対応してシリンジ駆動機構１１７を作動させる。【００５４】
より具体的には、前述のように薬液シリンジ２００にはプレフィルドタイプとリフィルタイプがあるが、本形態の薬液注入装置１００では、基本的にリフィルタイプの薬液シリンジ２００のみ使用するので、この薬液シリンジ２００に外部の薬液タンク(図示せず)から薬液を吸入させる薬液吸入と、その薬液シリンジ２００の薬液から気泡を排除する気泡排除と、が各々実行される。【００５５】
その薬液吸入が実行されるときは、薬液タンクが吸入チューブ(図示せず)で新品の空の薬液シリンジ２００に連結され、その薬液シリンジ２００が注入実行ヘッド１１０に装着される。そして、その注入実行ヘッド１１０のサブタッチパネル１２１に薬液吸入の手動操作が実行されると、この手動操作にリアルタイムに対応してシリンジ駆動機構１１７が駆動されることで薬液吸入が実行される。【００５６】
また、気泡排除が実行されるときは、上述のように薬液が吸入された薬液シリンジ２００に注入チューブ(図示せず)が連結され、注入実行ヘッド１１０が準備姿勢とされた状態で作業者によりサブタッチパネル１２１に気泡排除の手動操作が実行されると、この手動操作にリアルタイムに対応してシリンジ駆動機構１１７が駆動されることで気泡排除が実行される。このため、操作駆動手段１４３は、シリンジ駆動機構１１７によりピストン部材２２０を後退させる気泡排除は、傾斜検出センサ１２２により準備姿勢が判別されているときのみ作動できる状態とする。【００５７】
完了検出手段１４４は、ＣＰＵ１３１がコンピュータプログラムとリニアエンコーダ１１９の検出データとに対応して所定のデータ処理を実行する機能などに相当し、シリンジ駆動機構１１７の移動位置や移動距離により薬液吸入と気泡排除との完了を個々に検出する。【００５８】
より具体的には、本形態の薬液注入装置１００は、装着される薬液シリンジ２００の形状が規定されているので、そのシリンダ部材２１０の先端および後端の位置が判明している。そこで、薬液注入装置１００は、シリンジ駆動機構１１７が移動させるピストン部材２２０の位置をリニアエンコーダ１１９の検出データにより認識し、その位置がシリンダ部材２１０の先端から末端まで移動すると薬液吸入の完了を検出する。【００５９】
また、本形態の薬液注入装置１００は、例えば、気泡排除に必要なピストン部材２２０の最小の移動距離もデータ登録されており、薬液吸入が完了してからシリンジ駆動機構１１７が前進させるピストン部材２２０の距離をリニアエンコーダ１１９の検出データにより認識し、その検出距離が登録距離を超過すると気泡排除の完了を検出する。【００６０】
このため、前述の操作駆動手段１４３は、初期設定が完了した状態では、シリンジ駆動機構１１７によりピストン部材２２０を後退させる薬液吸入のみ作動できる状態とし、シリンジ駆動機構１１７によりピストン部材２２０を後退させる気泡排除は、薬液吸入の完了が検出されるまで作動不能とする。【００６１】
注入制御手段１４５は、ＣＰＵ１３１がコンピュータプログラムとリニアエンコーダ１１９および傾斜検出センサ１２２の検出データとに対応してシリンジ駆動機構１１７を動作制御する機能などに相当し、薬液吸入と気泡排除との完了が順番に検出されてから注入姿勢が判別されているときに、薬液注入手段１４１を作動できる状態とする。【００６２】
駆動規制手段１４６は、ＣＰＵ１３１がコンピュータプログラムと着脱検出センサ１２０の検出データとに対応してシリンジ駆動機構１１７を動作制御する機能などに相当し、薬液シリンジ２００の装着が検出されていないとシリンジ駆動機構１１７を強制停止させる。【００６３】
上述のような薬液注入装置１００の各種手段は、必要によりメイン／サブタッチパネル１０４，１２１などのハードウェアを利用して実現されるが、その主体はＲＯＭ１３２等の情報記憶媒体に格納されたリソースおよびコンピュータプログラムに対応してハードウェアであるＣＰＵ１３１が機能することにより実現されている。【００６４】
このようなコンピュータプログラムは、例えば、メイン／サブタッチパネル１０４，１２１への入力操作、着脱検出センサ１２０と傾斜検出センサ１２２との検出データ、等に対応してＣＰＵ１３１にシリンジ駆動機構１１７を動作制御させるためのソフトウェアとして、ＲＯＭ１３２等の情報記憶媒体に格納されている。【００６５】
［実施の形態の動作］
上述のような構成において、本形態の薬液注入装置１００が使用される場合、図５に示すように、ＣＴアンギオ装置４００の撮像ユニット４０１の近傍に薬液注入装置１００が配置され、新品の空の薬液シリンジ２００、耐圧カバー３００、薬液が充填されている薬液タンク、吸入チューブ、注入チューブ(図示せず)、などが用意される。【００６６】
つぎに、図３および図４に示すように、薬液シリンジ２００が耐圧カバー３００とともに薬液注入装置１００の注入実行ヘッド１１０に装着され、その薬液シリンジ２００に吸入チューブで薬液タンクが連結される。なお、上述のような注入実行ヘッド１１０への薬液シリンジ２００の着脱や、その薬液シリンジ２００への吸入チューブの着脱は、その作業の利便性のため、図６(ａ)に示すように、通常は注入実行ヘッド１１０が注入姿勢の状態で実行される。【００６７】
薬液シリンジ２００が耐圧カバー３００とともに注入実行ヘッド１１０に装着されると、本形態の薬液注入装置１００では、図７に示すように、着脱検出センサ１２０により薬液シリンジ２００の装着が検出され(ステップＳ１)、この検出に対応して初期設定が実行される(ステップＳ２)。【００６８】
本形態の薬液注入装置１００では、上述のように初期設定が完了した初期状態では、気泡排除と薬液注入とは作動不能とされ、薬液吸入のみ作動できる状態とされる。そして、薬液シリンジ２００の装着を検出したこと、初期設定が完了したこと、薬液吸入と気泡排除と薬液注入とが完了していないこと、最初に薬液吸入を実行すべきこと、がメイン／サブタッチパネル１０４，１２１のメッセージ表示などで作業者に報知される。【００６９】
そこで、例えば、作業者が注入姿勢の注入実行ヘッド１１０の薬液シリンジ２００に吸入チューブで薬液タンクを連結してから、その注入実行ヘッド１１０のサブタッチパネル１０４に薬液吸入を入力操作すると(ステップＳ３)、この入力操作に対応して薬液吸入が実行される(ステップＳ５)。【００７０】
この薬液吸入では、シリンジ駆動機構１１７によりピストン部材２２０がシリンダ部材２１０の内部先端から所定速度および所定圧力で引き出されるので、これで薬液タンクから薬液シリンジ２００に薬液が吸入されることになる。この薬液吸入の実行中には、薬液シリンジ２００が装着されていることも常時監視され(ステップＳ４)、これが検出されない状態となるとエラー発生が判定される。この場合、例えば、駆動機構１１７が強制停止され、メイン／サブタッチパネル１０４，１２１のメッセージ表示などでエラー発生が作業者に報知される。【００７１】
なお、本形態の薬液注入装置１００では、作業者が注入実行ヘッド１１０のサブタッチパネル１０４を手動操作しているときのみ、上述の薬液吸入が実行されるので(ステップＳ３，Ｓ５)、作業者が確認していない状態で薬液吸入が実行されることがない。そして、このように薬液吸入が実行されているときにシリンジ駆動機構１１７がピストン部材２２０を移動させた位置がリニアエンコーダ１１９により検出されるので、その移動位置が所定位置まで到達すると、吸入完了が検出されて薬液吸入が停止される(ステップＳ６)。【００７２】
この薬液吸入が完了すると、例えば、例えば、薬液吸入が完了したこと、注入実行ヘッド１１０を準備姿勢として気泡排除を実行すべきこと、がメイン／サブタッチパネル１０４，１２１などで作業者に報知出力される。そこで、作業者が注入姿勢の注入実行ヘッド１１０の薬液シリンジ２００から吸入チューブを取り外して注入チューブを装着し、注入実行ヘッド１１０を準備姿勢としてから、その注入実行ヘッド１１０のサブタッチパネル１０４に気泡排除を入力操作すると(ステップＳ７)、この入力操作に対応して気泡排除が実行される(ステップＳ１０)。【００７３】
この気泡排除では、シリンジ駆動機構１１７によりピストン部材２２０がシリンダ部材２１０に所定速度および所定圧力で圧入されるので、これで薬液シリンジ２００から気泡が排除されて注入チューブにも薬液が充填される。このとき、薬液シリンジ２００は注入実行ヘッド１１０とともに準備姿勢に配置されているので、薬液シリンジ２００および注入チューブから気泡が良好に排除されることになる。【００７４】
この気泡排除の実行中には、注入実行ヘッド１１０が準備姿勢であることと薬液シリンジ２００が装着されていることが常時監視され(ステップＳ８，Ｓ９)、これらが一方でも検出されない状態となるとエラー発生が判定される。この場合、例えば、駆動機構１１７が強制停止され、メイン／サブタッチパネル１０４，１２１のメッセージ表示などでエラー発生が報知されるので、気泡排除が実行されているときに、注入実行ヘッド１１０が準備姿勢から回動されたときや薬液シリンジ２００が脱落したときは、気泡排除が中止されるとともにエラー発生が作業者に報知される。【００７５】
この気泡排除も作業者が注入実行ヘッド１１０のサブタッチパネル１０４を手動操作しているときのみ実行されるので(ステップＳ７，Ｓ１０，Ｓ１２)、作業者が確認していない状態で気泡排除が実行されることがない。そして、このように薬液吸入が実行されているときにシリンジ駆動機構１１７がピストン部材２２０を圧入する距離がリニアエンコーダ１１９により検出されるので、その圧入距離が所定距離まで到達すると排除完了が検出される(ステップＳ１１)。【００７６】
この排除完了が検出されていない状態では(ステップＳ１１)、気泡排除のみ実行される状態が維持され(ステップＳ７〜Ｓ１０)、排除完了が検出された状態では(ステップＳ１１)、準備姿勢が検出されているときは手動操作により気泡排除が実行される(ステップＳ１２，Ｓ１３)。このため、気泡排除の完了が装置と作業者とで二重に確認されることになり、薬液シリンジ２００の薬液から気泡が完全に排除されていない状態で、気泡排除が完了されることがない。【００７７】
そして、気泡排除の完了が検出されてから(ステップＳ１１)、気泡排除の入力操作が停止されると(ステップＳ１２)、例えば、気泡排除が完了したこと、注入実行ヘッド１１０を注入姿勢として薬液注入を実行すべきこと、がメイン／サブタッチパネル１０４，１２１などで作業者に報知出力される。そこで、作業者は薬液が充填された注入チューブを被験者の血管に連結し、図６に示すように、注入実行ヘッド１１０を準備姿勢から注入姿勢に回動させることになる。【００７８】
すると、この注入実行ヘッド１１０の注入姿勢が傾斜検出センサ１２２により検出されるので(ステップＳ１３)、この検出に対応して薬液注入のみ実行できる状態となり(ステップＳ１７)、例えば、この薬液注入を実行できることがメイン／サブタッチパネル１０４，１２１などで作業者に報知出力される。【００７９】
そこで、この作業者がメインタッチパネル１０４で薬液注入を入力操作すると(ステップＳ１４)、例えば、作業者により事前にメインタッチパネル１０４に入力操作された注入速度や注入圧力や注入容量などに対応して、ピストン部材２２０がシリンダ部材２１０に圧入されるので、これで薬液シリンジ２００から被験者に薬液が注入されることになる(ステップＳ１７)。【００８０】
このとき、薬液シリンジ２００は注入実行ヘッド１１０とともに注入姿勢に配置されているので、もしも薬液シリンジ２００の内部に微小な気泡が存在しても、これが被験者に注入されることはない。この薬液注入の実行中にも、注入実行ヘッド１１０が注入姿勢であることと薬液シリンジ２００が装着されていることが常時監視され(ステップＳ１５，Ｓ１６)、一方でも検出されない状態となるとエラー発生が判定される。【００８１】
この場合も、例えば、駆動機構１１７が強制停止され、メイン／サブタッチパネル１０４，１２１のメッセージ表示などでエラー発生が報知されるので、薬液注入が実行されているときに、注入実行ヘッド１１０が注入姿勢から回動されたときや薬液シリンジ２００が脱落したときは、薬液注入が中止されるとともにエラー発生が作業者に報知される。【００８２】
なお、上述のような薬液注入が実行されているときもシリンジ駆動機構１１７がピストン部材２２０を移動させる位置がリニアエンコーダ１１９により検出されるので、その移動位置が設定位置まで到達すると注入完了が検出されて薬液注入が終了される(ステップＳ１８)。【００８３】
なお、本形態の透視撮像システム１０００では、薬液注入装置１００とＣＴアンギオ装置４００とが相互通信して各々の動作を連動させるので、上述のように薬液注入装置１００が薬液注入を開始するまで、ＣＴアンギオ装置４００の画像撮像が開始されず、例えば、薬液注入装置１００が薬液注入を開始してから所定時間が経過したときにＣＴアンギオ装置４００が自動的に開始される。【００８４】
［実施の形態の効果］
本形態の透視撮像システム１０００では、上述のように初期状態では薬液シリンジ２００に薬液吸入のみ実行することができ、この薬液吸入が完了して注入実行ヘッド１１０が準備姿勢とされると気泡排除のみ実行できる状態となり、この気泡排除が完了してから注入実行ヘッド１１０が注入姿勢とされると薬液注入のみ実行できる状態となる。【００８５】
このため、薬液吸入が完了していない薬液シリンジ２００で気泡排除が実行されることと、この気泡排除が完了していない薬液シリンジ２００で薬液注入が実行されることを、解除スイッチの増設や作業負担の増大などを必要とすることなく自動的に防止することができる。特に、薬液吸入と気泡排除とは手動操作にリアルタイムに対応して実行されるが、その完了がシリンジ駆動機構１１７の移動距離や移動位置により検出されるので、簡単な構造で確実に薬液吸入と気泡排除との完了を判定することができる。【００８６】
しかも、気泡排除が実行されているときに注入実行ヘッド１１０が準備姿勢に配置されているかが監視され、薬液注入が実行されているときに注入実行ヘッド１１０が注入姿勢に配置されているかも監視される。そして、その姿勢変化が検出されると上記動作が強制停止されるので、気泡排除や薬液注入が適切でない姿勢で実行されることも自動的に防止できる。【００８７】
さらに、薬液シリンジ２００の着脱も検出され、薬液シリンジ２００の装着が検出されると気泡排除と薬液注入とが実行不能に初期設定されるので、この初期設定が的確に実行される。しかも、薬液吸入と気泡排除と薬液注入とが実行されているときに薬液シリンジ２００が装着されているかも監視され、その装着が検出されなくなると上記動作が強制停止されるので、例えば、薬液シリンジ２００が脱落した状態で各種動作が継続されるようなことも自動的に防止できる。【００８８】
しかも、薬液注入装置１００に薬液吸入や気泡排除の実行を入力操作するサブタッチパネル１２１が、薬液シリンジ２００が装着される注入実行ヘッド１１０に実装されているので、薬液吸入や気泡排除の実行を入力操作する作業者が、その薬液吸入や気泡排除の状態を確実に確認することができる。【００８９】
さらに、本形態の透視撮像システム１０００では、薬液注入装置１００の薬液注入とＣＴアンギオ装置４００の画像撮像とが自動的に連動するので、造影剤が注入される被験者から透視画像を的確なタイミングで撮像することができる。【００９０】
［実施の形態の変形例］
本発明は上記形態に限定されるものではなく、その要旨を逸脱しない範囲で各種の変形を許容する。例えば、上記形態ではリフィルタイプの薬液シリンジ２００で薬液吸入と気泡排除と薬液注入とが順番に実行される薬液注入装置１００を例示したが、リフィルタイプやプレフィルドタイプの薬液シリンジで気泡排除と薬液注入のみが順番に実行される薬液注入装置なども実施可能である(図示せず)。なお、リフィルタイプの薬液シリンジで気泡排除と薬液注入のみが実行される薬液注入装置では、例えば、専用の薬液吸入装置(図示せず)で薬液シリンジに薬液吸入を実行させることなどが好適である。【００９１】
また、上記形態ではリフィルタイプの薬液シリンジ２００のみ使用する薬液注入装置１００を例示したが、例えば、リフィルタイプとプレフィルドタイプの薬液シリンジを併用する薬液注入装置なども実施可能である(図示せず)。このような薬液注入装置を実施する場合は、例えば、リフィル／プレフィルドのシリンジタイプがデータ登録されたＲＦＩＤ(Radio
Frequency Identification)チップを薬液シリンジに装着しておき、そのＲＦＩＤチップをデータ読取するＲＦＩＤリーダをシリンジ判別手段として薬液注入装置に搭載しておく(ともに図示せず)。【００９２】
そこで、注入実行ヘッドに装着された薬液シリンジがプレフィルドタイプかリフィルタイプかを判別し、プレフィルドタイプの薬液シリンジでは、初期状態から注入実行ヘッドが準備姿勢とされると気泡排除のみ実行できる状態とし、この気泡排除が完了してから注入実行ヘッドが注入姿勢とされると薬液注入のみ実行できる状態とする。【００９３】
リフィルタイプの薬液シリンジでは、初期状態では薬液吸入のみ実行できる状態とし、この薬液吸入が完了して注入実行ヘッドが準備姿勢とされると気泡排除のみ実行できる状態とし、この気泡排除が完了してから注入実行ヘッドが注入姿勢とされると薬液注入のみ実行できる状態とする。【００９４】
このような薬液注入装置では、気泡排除が完了していないプレフィルドタイプの薬液シリンジで薬液注入が実行されることと、薬液吸入が完了していないリフィルタイプの薬液シリンジで気泡排除が実行されることと、この気泡排除が完了していないリフィルタイプの薬液シリンジで薬液注入が実行されることを、解除スイッチの増設や作業負担の増大などを必要とすることなく自動的に防止することができる。【００９５】
なお、上述のように薬液シリンジにＲＦＩＤチップが装着されているとともに薬液注入装置にＲＦＩＤリーダが装着されているシステムは、本出願人が、特願２００４−０５９０３４号、特願２００４−２０７３４５号、特願２００４−３２７４７９号、特願２００４−３３４９４２号、特願２００４−３４５４９３号、等として出願している。【００９６】
また、上記形態では説明を簡単とするため、初期状態のリフィルタイプの薬液シリンジ２００に即座に薬液吸入を実行することを例示したが、現在の一般的なリフィルタイプの薬液シリンジ２００は、初期状態ではピストン部材２２０がシリンダ部材２１０の末端近傍に位置しているので、そのピストン部材２２０をシリンダ部材２１０の先端近傍まで移動させる吸入準備が薬液吸入に先行して必要である。【００９７】
そこで、このような薬液シリンジ２００を使用する薬液注入装置では、初期状態では吸入準備のみ作動できる状態としておき、吸入準備が完了してから薬液吸入を作動できる状態とし、この薬液吸入が完了してから準備姿勢により気泡排除を作動できる状態とすることが好適である。なお、このような薬液注入装置での吸入準備の完了も、やはりシリンジ駆動機構１１７の移動距離や移動位置により検出することが好適である。【００９８】
また、上記形態では説明を簡単とするため、薬液注入装置１００による気泡排除が薬液シリンジ２００とともに注入チューブにも同時に実行されることを説明したが、薬液注入装置１００による気泡排除は薬液シリンジ２００に対してのみ実行され、注入チューブの気泡排除は専用の排気バルブなどで実行することも可能である。【００９９】
さらに、上記形態では注入実行ヘッド１１０が準備姿勢か注入姿勢かを判別する姿勢判別手段である傾斜検出センサ１２２が加速度センサなどからなることを例示したが、このような姿勢判別手段は各種構成で実現することができ、例えば、水銀スイッチ、方位センサ、地磁気センサ、等の自身の方向を独立に検出するデバイスや、ロータリエンコーダ等の可動アーム１１２に対する相対角度を検出するデバイスなどで実現可能である(図示せず)。【０１００】
また、上記形態では１個のシリンジ駆動機構１１７を有する薬液注入装置１００が造影剤のみを注入することを例示したが、２個のシリンジ駆動機構１１７で造影剤と生理食塩水とを注入する薬液注入装置や、３個以上のシリンジ駆動機構１１７で３種類以上の薬液を注入する薬液注入装置なども実施可能である(図示せず)。【０１０１】
さらに、上記形態では透視撮像装置としてＣＴアンギオ装置４００を使用し、薬液注入装置１００がＣＴ用の造影剤を注入することを例示したが、例えば、透視撮像装置としてＭＲＩ装置やＰＥＴ装置などを使用し、それ用の造影剤を薬液注入装置が注入することも可能である。【０１０２】
また、上記形態ではＲＡＭ１３３等に格納されているコンピュータプログラムに対応してＣＰＵ１３１が動作することにより、薬液注入装置１００の各種機能として各種手段が論理的に実現されることを例示した。しかし、このような各種手段の各々を固有のハードウェアとして形成することも可能であり、一部をソフトウェアとしてＲＡＭ１３３等に格納するとともに一部をハードウェアとして形成することも可能である。
【図１】
0004980892.tif 000002
【図２】
0004980892.tif 000003
【図３】
0004980892.tif 000004
【図４】
0004980892.tif 000005
【図５】
0004980892.tif 000006
【図６】
0004980892.tif 000007
【図７】
0004980892.tif 000008
【図８】
0004980892.tif 000009